(57)【要約】【課題】入力電圧によらず寿命を管理することができ、寿命に到達した際にそれを報知することを可能にする。【解決手段】スイッチング素子Ｑ１、Ｑ２のオン、オフに伴って流れるバイアス電流ＩｂｉａｓをダイオードＤ１と減流抵抗器Ｒ１を介して電解コンデンサＣ１に印加し、充電する。電解コンデンサＣ１は、使用時間が長くなるに伴って静電容量が低下し、リップル電圧の振幅が大きくなる。電解コンデンサＣ１両端のリップル電圧を寿命検出回路１４によって検出し、所定のしきい値Ｖ＿ＬＳＬと比較してこれを超えた場合に、周波数制御回路１３１に対して動作周波数を変更する指示を出力する。点灯制御回路１３は、寿命検出回路１４からの指示に基づいて動作周波数を変更し、放電灯ＦＬを通常の状態より明るく、若しくは暗くなるよう制御する。【選択図】図１
2010097839.tif 000002
【特許請求の範囲】
【請求項１】
任意電圧の交流を所定電圧の直流に変換する交流−直流変換回路と、前記所定電圧の直流を高周波電圧に変換するインバータ回路と、コンデンサ及びインダクタを有して放電灯を点灯させる共振回路と、前記の動作を制御する点灯制御回路と、を備えた放電灯点灯装置であって、
一定の高周波電流によって充電される電解コンデンサと、
前記電解コンデンサの寿命を検出する寿命検出回路と、
を備え、
前記寿命検出回路は、
前記電解コンデンサのリップル電圧が所定のしきい値を超えた際に、前記電解コンデンサが寿命に到達したと判断して、前記点灯制御回路に指示を出し、
前記点灯制御回路は、
前記指示に基づいて、前記インバータ回路の動作周波数を変更するように構成された放電灯点灯装置。
【請求項２】
請求項１に記載の放電灯点灯装置であって、
前記電解コンデンサは、
前記インバータ回路から取得した前記高周波電流によって充電されるように構成された
放電灯点灯装置。
【請求項３】
請求項１に記載の放電灯点灯装置であって、
前記インダクタは、
磁気結合された二次巻線を備え、
前記電解コンデンサは、
前記二次巻線に誘起される前記高周波電流によって充電されるように構成された放電灯点灯装置。
【請求項４】
請求項１乃至３のいずれかに記載の放電灯点灯装置であって、
前記電解コンデンサは、
動作中の表面温度が一定である部品に近接して実装される放電灯点灯装置。
【請求項５】
請求項１乃至４のいずれかに記載の放電灯点灯装置を具備した照明器具。
【発明の詳細な説明】
【技術分野】
【０００１】
本発明は、放電灯を点灯させるための放電灯点灯装置、及びこれを用いた照明器具に関する。
【背景技術】
【０００２】
放電灯、及びこの放電灯を点灯するための放電灯点灯装置は、累積点灯時間が長時間に及んで寿命を迎えると、適正な性能が得られなくなる。例えば、放電灯ではフィラメントが断線したり、光束が減少するなどのことが起こる。また、放電灯点灯装置は、整流器や高周波スイッチング素子、平滑用の電解コンデンサ等を有しているが、これらの中で電解コンデンサが劣化すると、放電灯を適正に点灯することができなくなる。
【０００３】
更に、放電灯と放電灯点灯装置を搭載する照明器具についても、累積点灯時間が長時間に及ぶと、金属部品に錆が生じたり、プラスチック部品の劣化によって破損等が発生する。
【０００４】
従来は、放電灯、放電灯点灯装置、及び照明器具の寿命を、実際に放電灯が適正に点灯しなくなったことで判断するか、或いは、使用者が経験的に判断していた。これらのうち、放電灯が適正に点灯しなくなった場合は、代替品を用意するまで不便を強いられる。また、放電灯点灯装置を含む照明器具が寿命に到達したと経験的に判断した場合は、実際には寿命を迎えていないにも拘わらず照明器具を交換してしまい、無駄な出費を伴う場合がある。
【０００５】
しかし、放電灯点灯装置や照明器具には、放電灯の不適正な点灯や経験によっては寿命を判断できないいくつかの部位がある。その結果、これらの部位が寿命に到達しているにも拘わらず使用を継続することによって、部品の焼損や発火、器具の破損や落下等の重大事故を引き起こす危険性がある。
【０００６】
このため従来から、放電灯点灯装置や照明器具に寿命が到来したことを判定し、使用者に報知するための技術がいくつか提案されている。
【０００７】
図９は、従来の放電灯点灯装置の概略構成を示す図である。図９において、商用電源９０の出力は整流器９２で整流され、整流された直流出力は平滑コンデンサ９３で平滑された後、インバータ回路９４によって交流出力に変換されて放電灯９６へ供給される。このとき放電灯９６への供給電力は、点灯制御回路９５がインバータ回路９４の動作を制御することで、所定の値に制御される。
【０００８】
平滑コンデンサ９３は大きな静電容量を必要とするため、一般的にアルミニウム箔電解コンデンサが用いられている。このアルミニウム箔電解コンデンサは、内部で電気化学反応が行われているので、使用時間が長くなるのに伴って静電容量が減少し、本来の平滑機能を損なったり、或いは、損失が増大するという特性がある。そのため、アルミニウム箔電解コンデンサには、寿命が規定されている（例えば、１０５℃時、１２０００時間の保証値）。
【０００９】
アルミニウム箔電解コンデンサの寿命は、他の電子部品に比べて短いので、放電灯点灯装置としての寿命は、結果的にアルミニウム箔電解コンデンサによって決定される。
【００１０】
そこで、平滑コンデンサのリップル電圧またはリップル電流を検出して所定のしきい値と比較し、その比較結果から平滑コンデンサの寿命を検出するようにした寿命検出装置が提案されている（例えば、特許文献１参照）。
【００１１】
しかしながら、上記従来の寿命検出装置は、平滑コンデンサの出力電圧に重畳された比較的小さなリップル成分（例えば、数百Ｖの出力電圧に重畳された数Ｖのリップル電圧）を検出しなければならないので、測定の難易度が高く、かつ、測定の誤差が大きいという問題点があった。また、電源のオフ動作によるインバータ回路の入力遮断時、或いは停電時においてのみ寿命の判断が行われ、放電灯の点灯中に平滑コンデンサの寿命を判断することができなかった。
【００１２】
これらの問題点を解決するために、放電灯の緩やかな放電特性を利用して瞬時停電動作を自発的に作り出し、所定時間内に平滑コンデンサの両端電圧を測定することによって寿命を判断する放電灯点灯装置が提案されている（例えば、特許文献２参照）。
【００１３】
近年の放電灯点灯装置は、入力電圧が１００Ｖ／２００Ｖ／２４２Ｖで兼用可能なタイプが一般的である。しかしながら、上記の特許文献１、２に記載された例では、入力電圧が異なると平滑コンデンサのリップル電流が変わり、このため平滑コンデンサの発熱量が変化して、その寿命を正確に判定することが困難であるという問題点がある。
【００１４】
表１は、入力電圧が１００Ｖ／２００Ｖ／２４２Ｖ兼用型の放電灯点灯装置で、交流-直流変換回路の出力端に接続される平滑コンデンサとして、１０５℃時、１００００時間の保証値を有するアルミニウム箔電解コンデンサを使用した場合の周囲温度、リップル電流、リップル電流発熱分、及びこれらのパラメータから算出された推定寿命時間を例示するものである。
【００１５】
【表１】
2010097839.tif 000003
【００１６】
表１を参照すると、入力電圧が２４２Ｖの時に対し１００Ｖの場合には大きな入力電流が必要となるため、リップル電流が最も大きくなっている。このことから、入力電圧が低いほど入力電流が大きくなり、周囲温度及びリップル電流による発熱が大きくなる傾向にあるといえる。
【００１７】
また、推定寿命時間は、１００Ｖで使用した場合は約１３．８万時間、２００Ｖで使用した場合は２２．６万時間、２４２Ｖで使用した場合は２３．９万時間である。
【００１８】
このことは、例えば１００Ｖで使用されることを想定し、設計寿命を１３．８万時間として設計しても、２００Ｖの入力電圧で使用されると、設計寿命が１３．８万時間に比べて余裕があり過ぎる設計になってしまうことを意味する。従って、１００Ｖ／２００Ｖ／２４２Ｖ兼用型の放電灯点灯装置の寿命を、平滑コンデンサによって検知、管理することは困難である。
【００１９】
【特許文献１】特開平７−２２２４３６号公報
【特許文献２】特開２００６−１２９５６４号公報
【発明の開示】
【発明が解決しようとする課題】
【００２０】
本発明は、上記の事情に鑑みてなされたもので、入力電圧によらず寿命を管理することができ、かつ、寿命に到達したことを報知することが可能な放電灯点灯装置、及び照明器具を提供することを目的とする。
【課題を解決するための手段】
【００２１】
本発明の放電灯点灯装置は、任意電圧の交流を所定電圧の直流に変換する交流−直流変換回路と、前記所定電圧の直流を高周波電圧に変換するインバータ回路と、コンデンサ及びインダクタを有して放電灯を点灯させる共振回路と、前記の動作を制御する点灯制御回路と、を備えた放電灯点灯装置であって、略一定の高周波電流によって充電される電解コンデンサと、前記電解コンデンサの寿命を検出する寿命検出回路と、を備え、前記寿命検出回路は、前記電解コンデンサのリップル電圧が所定のしきい値を超えた際に、前記電解コンデンサが寿命に到達したと判断して、前記点灯制御回路に指示を出し、前記寿命検出回路は、前記指示に基づいて、前記インバータ回路の動作周波数を変更するものである。
【００２２】
この構成により、電解コンデンサへの充電電流は略一定であるため、その発熱量が入力電圧によらず一定となり、入力電圧に依存しない電解コンデンサの寿命設計、延いては放電灯点灯装置の寿命設計を行うことができる。
【００２３】
また、本発明は、上記の放電灯点灯装置において、前記電解コンデンサは、前記インバータ回路から取得した前記高周波電流によって充電されるものである。
【００２４】
この構成により、電解コンデンサへの充電電流はインバータ回路から取得することで略一定となり、その発熱量も入力電圧によらず一定となって、入力電圧に依存しない電解コンデンサの寿命設計、延いては放電灯点灯装置の寿命設計を行うことができる。
【００２５】
更に、本発明は、上記の放電灯点灯装置において、前記インダクタは、磁気結合された二次巻線を備え、前記電解コンデンサは、前記二次巻線に誘起される前記高周波電流によって充電されるものである。
【００２６】
この構成により、電解コンデンサへの充電電流はインバータ回路から取得することで略一定となり、その発熱量も入力電圧によらず一定となり、入力電圧に依存しない電解コンデンサの寿命設計、延いては放電灯点灯装置の寿命設計を行うことができる。
【００２７】
また、本発明は、上記の放電灯点灯装置において、前記電解コンデンサは、動作中の表面温度が略一定である部品に近接して実装されるものである。
【００２８】
この構成により、入力電圧の影響を受けない部品の表面温度を利用して電解コンデンサの表面温度を制御することが可能となり、入力電圧に依存しない電解コンデンサの寿命設計、延いては放電灯点灯装置の寿命設計を行うことができる。
【００２９】
また、本発明は、上記の放電灯点灯装置を備える照明器具である。
【００３０】
この構成により、入力電圧に依存しない放電灯点灯装置の寿命設計、延いては照明器具の寿命設計を行うことができる。
【発明の効果】
【００３１】
本発明によれば、入力電圧によらず寿命を管理することができ、かつ、寿命に到達したことを報知することが可能な放電灯点灯装置、及び照明器具を提供できる。
【発明を実施するための最良の形態】
【００３２】
以下、本発明の実施の形態に係る放電灯点灯装置、及び照明器具について、図面を用いて説明する。
【００３３】
（第１の実施の形態）
図１は、本発明の第１の実施の形態に係る放電灯点灯装置の概略構成を示す図である。本実施の形態の放電灯点灯装置では、ハーフブリッジ型インバータ回路を採用している。
【００３４】
図１において、商用電源１０の交流を直流に変換する交流−直流変換回路１１の出力端（電圧Ｖｄｃ）には、スイッチング素子Ｑ１、Ｑ２の直列回路が接続されている。そして、スイッチング素子Ｑ１，Ｑ２の接続点とＧＮＤ間には、共振用インダクタＬ１と共振用コンデンサＣ３の直列共振回路が接続され、更に、共振用コンデンサＣ３の両端に共振兼直流阻止用コンデンサＣ４を介して放電灯負荷ＦＬが接続されている。
【００３５】
また、スイッチング素子Ｑ１、Ｑ２の接続点とＧＮＤ間には、コンデンサＣ５とダイオードＤ２が直列に接続され、その接続点とＧＮＤ間にダイオードＤ１と減流抵抗器Ｒ１、及び並列に接続された電解コンデンサＣ１とツェナーダイオードＺＤ１が接続されている。
【００３６】
電解コンデンサＣ１の（＋）側とツェナーダイオードＺＤ１のカソードとの接続点は、放電灯点灯装置の寿命を検出するための寿命検出回路１４に接続され、寿命検出回路１４の出力は点灯制御回路１３の周波数制御回路１３１に接続されている。
【００３７】
図１におけるインバータ回路の動作は周知のものであって、スイッチング素子Ｑ１、Ｑ２は、点灯制御回路１３の周波数制御回路１３１で決められる周波数により動作する駆動回路１３２によって交互にオン・オフし、直流電圧Ｖｄｃを高周波電圧に変換して放電灯ＦＬに交番電流を流す。ここで、放電灯ＦＬへの給電経路にはインダクタＬ１、コンデンサＣ３及びコンデンサＣ４からなる直列共振回路が存在するので、スイッチング素子Ｑ１、Ｑ２のオン・オフの周期（動作周波数）とインダクタＬ１、コンデンサＣ３、Ｃ４による共振周波数との関係によって放電灯ＦＬに対する供給エネルギーを調節することができる。
【００３８】
このように構成された放電灯点灯装置において、スイッチング素子Ｑ１がオンし、スイッチング素子Ｑ２がオフすると、コンデンサＣ５は電圧Ｖｄｃで充電されて、ダイオードＤ１と減流抵抗器Ｒ１を介してバイアス電流Ｉｂｉａｓが流れ、電解コンデンサＣ１を充電する。
【００３９】
このときのバイアス電流Ｉｂｉａｓは、次式によって決定される。
【００４０】
Ｉｂｉａｓ＝Ｃ５×Ｖｄｃ×ｆ・・・（１）
【００４１】
ここで、Ｖｄｃは、交流−直流変換回路１２によって入力電圧によらず一定となるように制御されている。また、ｆはスイッチング素子Ｑ１、Ｑ２のオン、オフ周期であり、放電灯ＦＬへ供給するエネルギーを決定するもので、入力電圧によらず略一定に決まっている。
【００４２】
従って、式（１）には入力電圧によって変化する項が入らないため、バイアス電流Ｉｂｉａｓは入力電圧によらず一定となる。
【００４３】
一方、スイッチング素子Ｑ１がオフし、スイッチング素子Ｑ２がオンすると、コンデンサＣ５はスイッチング素子Ｑ２とＧＮＤに接続されたダイオードＤ２を介して放電される。この時、電解コンデンサＣ１に充電されている電荷は、ダイオードＤ１により遮断されてコンデンサＣ５へは流れない。
【００４４】
以上のようにして、電解コンデンサＣ１はスイッチング素子Ｑ１がオンする半サイクル毎に充電される。
【００４５】
ツェナーダイオードＺＤ１は、電解コンデンサＣ１の充電電圧をツェナー電圧Ｖｚｄ１でクリップする機能を有している。
【００４６】
電解コンデンサＣ１は、使用時間が長くなるに伴って静電容量が低下し、リップル電圧の振幅が大きくなる。
【００４７】
図２は、使用時間に伴う電解コンデンサＣ１の両端電圧の変化を示す図である。（ａ）は使用初期において、電解コンデンサＣ１両端のリップル電圧が小さく、ほぼツェナー電圧Ｖｚｄ１に等しい状態を示し、（ｂ）は使用中期において、リップル電圧の振幅がやや増加している様子を示している。また、（ｃ）は電解コンデンサＣ１の寿命到来時において、リップル電圧の振幅が最大となった状態を示している。
【００４８】
寿命検出回路１４は、図２（ｃ）に示すように、リップル電圧の振幅が所定のしきい値Ｖ＿ＬＳＬを下回った場合に、点灯制御回路１３の周波数制御回路１３１に対して動作周波数ｆを変更するような指示を出力する。
【００４９】
周波数制御回路１３１は、寿命検出回路１４からの指示に基づいて動作周波数を変更する。前述したように、放電灯ＦＬへの供給エネルギーは動作周波数ｆによって変わるため、動作周波数を変更することで、放電灯ＦＬを通常の状態より明るく、若しくは暗く制御することが可能であり、これによってユーザに放電灯点灯装置の寿命を報知することができる。
【００５０】
また、電解コンデンサＣ１へのバイアス電流Ｉｂｉａｓは、入力電圧によらず一定であるので、電解コンデンサＣ１の発熱量も入力電圧によることなく一定である。従って、電解コンデンサＣ１の寿命は入力電圧によらず一定である。これにより、放電灯点灯装置の寿命の管理は入力電圧によらず一定とすることができる。
【００５１】
図３は、図１における寿命検出回路１４の具体例として、比較器を用いた場合の点灯制御装置の概略構成を示す図である。なお、図１と同じ構成要素については、同一符号を付して説明を簡略に、若しくは省略する。
【００５２】
図３において、比較器ＣＰの（−）端子は、電解コンデンサＣ１の（＋）側とツェナーダイオードＺＤ１のカソードとの接続点に接続され、（＋）端子には、予め決められた基準電圧Ｖ＿ＬＳＬが印加される。そして、比較器ＣＰの出力端は、点灯制御回路１３の周波数制御回路１３１に接続されている。
【００５３】
電解コンデンサＣ１両端のリップル電圧の振幅が基準電圧Ｖ＿ＬＳＬより低下すると、比較器ＣＰの出力がＬレベルからＨレベルに反転し、周波数制御回路１３１に対して動作周波数ｆを変更する指示を出力する。
【００５４】
以上説明したように、このような本発明の第１の実施の形態に係る放電灯点灯装置によれば、インバータ回路の交互にオン・オフするスイッチング素子の接続点に電解コンデンサを接続し、供給されるバイアス電流によって充電する。電解コンデンサの両端におけるリップル電圧は、使用時間の経過に伴って増大するので、寿命検出回路によってこれを検出し、所定のしきい値を超えた場合に、点灯制御回路に周波数を変更する指示を出力する。
【００５５】
点灯制御回路は、指示に基づいて放電灯の動作周波数を変更し、放電灯ＦＬを通常の状態より明るく、若しくは暗くなるように制御する。これにより、ユーザに放電灯点灯装置の寿命を報知することができる。
【００５６】
（第２の実施の形態）
図４は、本発明の第２の実施の形態に係る放電灯点灯装置の概略構成を示す図である。第１の実施の形態とは、共振用インダクタの二次巻線からバイアス電流を得ている点が異なる。なお、図１と同じ構成要素については、同一符号を付して説明を簡略に、若しくは省略する。
【００５７】
図４において、インダクタＬ１に磁気的に結合した二次巻線の一端は、ダイオードＤ３と減流抵抗器Ｒ２を介して電解コンデンサＣ１の（＋）側とツェナーダイオードＺＤ１のカソードとの接続点に接続されている。
【００５８】
放電灯ＦＬが通常に動作している間のインダクタＬ１には、共振電流ＩＬ１が流れることにより、両端間に交流電圧ＶＬ１-１が発生する。共振電流ＩＬ１は、スイッチング素子Ｑ１、Ｑ２のオン・オフ周期と、コンデンサＣ３、Ｃ４及び放電灯ＦＬのインピーダンスによって定まり、放電灯ＦＬへの供給エネルギーであるため、商用電源１０からの入力電圧によらず略一定に決まっている。従って、通常動作中における交流電圧ＶＬ１-１も入力電圧によらず略一定となる。
【００５９】
インダクタＬ１の二次巻線には、共振電流ＩＬ１が流れることによって交流電圧ＶＬ１-２が誘起され、バイアス電流Ｉｂｉａｓが流れる。この交流電圧ＶＬ１-２は、インダクタＬ１の一次側と二次側のコイル巻数比によって決定される。
【００６０】
バイアス電流Ｉｂｉａｓは、ダイオードＤ３によって半波整流され、減流抵抗器Ｒ２を介して電解コンデンサＣ１を充電する。
【００６１】
以下、第１の実施の形態と同様に、電解コンデンサＣ１の両端間に現れるリップル電圧を寿命検出回路１４によって検出し、リップル電圧の振幅が所定のしきい値Ｖ＿ＬＳＬを下回った場合に、周波数制御回路１３１に対して動作周波数ｆを変更する指示を出力する。
【００６２】
以上説明したように、このような本発明の第２の実施の形態に係る放電灯点灯装置によれば、共振用インダクタの二次巻線に電解コンデンサを接続し、共振電流によって二次巻線に誘起するバイアス電流で充電する。電解コンデンサの両端におけるリップル電圧は、使用時間の経過に伴って増大するので、寿命検出回路によってこれを検出し、所定のしきい値を超えた場合に、点灯制御回路に周波数を変更する指示を出力する。
【００６３】
点灯制御回路は、指示に基づいて放電灯の動作周波数を変更し、放電灯ＦＬを通常の状態より明るく、若しくは暗くなるように制御する。これにより、ユーザに放電灯点灯装置の寿命を報知することができる。
【００６４】
（第３の実施の形態）
図５は、本発明の第３の実施の形態に係る放電灯点灯装置の概略構成を示す図である。本実施の形態の放電灯点灯装置は、電解コンデンサに供給するバイアス電流を、第１の実施の形態、及び第２の実施の形態の構成によって取得するものである。第１及び第２の実施の形態と同様の構成には、同一符号を付して説明を簡略に、若しくは省略する。
【００６５】
図５において、電解コンデンサＣ１は、スイッチング素子Ｑ１、Ｑ２の交互のオン、オフに伴って発生するバイアス電流Ｉｂｉａｓ１と、インバータ回路の共振用インダクタＬ１に磁気的に結合した二次巻線において発生するバイアス電流Ｉｂｉａｓ２によって充電される。
【００６６】
そして、第１及び第２の実施の形態と同様に、電解コンデンサＣ１の両端間に現れるリップル電圧を寿命検出回路１４によって検出し、リップル電圧の振幅が所定のしきい値Ｖ＿ＬＳＬを下回った場合に、周波数制御回路１３１に対して動作周波数ｆを変更する指示を出力する。
【００６７】
以上説明したように、このような本発明の第３の実施の形態に係る放電灯点灯装置によれば、電解コンデンサは、スイッチング素子のオン、オフに伴って発生するバイアス電流と、インバータ回路の共振用インダクタに磁気的に結合した二次巻線で発生するバイアス電流によって充電される。電解コンデンサの両端におけるリップル電圧は、使用時間の経過に伴って増大するので、寿命検出回路によってこれを検出し、所定のしきい値を超えた場合に、点灯制御回路に周波数を変更する指示を出力する。
【００６８】
点灯制御回路は、指示に基づいて放電灯の動作周波数を変更し、放電灯ＦＬを通常の状態より明るく、若しくは暗くなるように制御する。これにより、ユーザに放電灯点灯装置の寿命を報知することができる。
【００６９】
（第４の実施の形態）
図６は、本発明の第４の実施の形態に係る放電灯点灯装置のプリント基板への実装状態を示す平面図である。本実施の形態において、放電灯点灯装置の概略構成は基本的に第１〜第３の実施の形態と同様であり、構成部品には同一符号を付して説明を簡略に、若しくは省略する。
【００７０】
図６に示すように、構成部品はプリント基板ＰＣＢ上に実装されており、その長手方向の左右に沿って、入力フィルタ部１１を構成する雑音防止コンデンサ１１１と入力フィルタ１１２、交流−直流変換回路１２を構成する昇圧トランス１２１と電解コンデンサ１２２、点灯制御回路１３、共振用インダクタＬ１とそれに近接して配置された電解コンデンサＣ１、コンデンサＣ３とＣ４がそれぞれ配置され、両端には入力コネクタ１５及び出力コネクタ１６が配置されている。
【００７１】
入力フィルタ部１１及び交流−直流変換回路１２に流れる電流は、前述したように商用電源１０からの入力電圧によって異なり、入力電圧が低い時に電流が大きくなる。
【００７２】
一方、点灯制御回路１３以降に配置された部品は、動作周波数によって流れる電流が決定され、入力電圧が異なっても流れる電流は同じである。このため、部品の表面温度は略一定となる。
【００７３】
電解コンデンサＣ１のバイアス電流は、入力電圧が異なっても略一定であり、近接する共振用インダクタＬ１の表面温度も略一定であるので、電解コンデンサＣ１の周囲温度に対する自己発熱量を入力電圧によらず一定にすることができる。これにより、入力電圧に依存しない放電灯点灯装置の寿命設計が可能となる。
【００７４】
図７は、本実施の形態に係る放電灯点灯装置のプリント基板への実装状態において、その変形例を示す平面図である。
【００７５】
図７が図５と異なる点は、電解コンデンサＣ１を出力コネクタ１６に近いコンデンサＣ４と近接して配置したことである。
【００７６】
出力コネクタ１６に近い部品の表面温度が、入力コネクタ１５側の部品の発熱に伴うあおりによって影響される場合、本例のように出力コネクタ１６に最も近く配置することで、あおりの影響を受けにくくすることができる。
【００７７】
以上説明したように、このような本発明の第４の実施の形態に係る放電灯点灯装置によれば、プリント基板への実装の際に、電解コンデンサを入力電圧によらず表面温度が一定である共振用インダクタと近接して配置することで、電解コンデンサの周囲温度に対する自己発熱量を入力電圧によらず一定にすることができる。これにより、入力電圧に依存しない放電灯点灯装置の寿命設計が可能となる。
【００７８】
また、電解コンデンサを出力コネクタに最も近く配置することにより、あおりの影響を受けにくくすることができる。
【００７９】
（第５の実施の形態）
図８は、本発明の第５の実施の形態に係る照明器具の概略構成を示す斜視図である。本実施の形態の照明器具は、第１〜第４の実施の形態において説明した放電灯点灯装置のいずれかを搭載したものである。
【００８０】
図８において、照明器具は、器具本体２０、反射板２１、ソケット２２、２３、ばね２４、ランプピン接触穴２５を有して構成される。そして、器具本体２０の内部には、第１〜第４の実施の形態のいずれかの放電灯点灯装置が内蔵されている。
【００８１】
ソケット２２、２３に装着される放電灯は、施設・店舗用途に用いられる直管型のものである。また、主に住宅用に用いられる環状型、或いは、主にダウンライトの器具に用いられるコンパクト型のものであってもよい。
【００８２】
以上説明したように、このような本発明の第５の実施の形態に係る照明器具によれば、第１〜第４の実施の形態における放電灯点灯装置と同様の効果を得ことができる。
【産業上の利用可能性】
【００８３】
本発明の放電灯点灯装置、及び照明器具は、入力電圧によらず寿命を管理することができ、かつ、寿命に到達したことを報知することが可能な効果を有し、一般施設、屋内外等における照明器具及び照明システム等に有用である。
【図面の簡単な説明】
【００８４】
【図１】本発明の第１の実施の形態に係る放電灯点灯装置の概略構成を示す図
【図２】（ａ）本発明の第１の実施の形態に係る放電灯点灯装置の使用初期における電解コンデンサの両端電圧を示す図  （ｂ）本発明の第１の実施の形態に係る放電灯点灯装置の使用中期における電解コンデンサの両端電圧を示す図  （ｃ）本発明の第１の実施の形態に係る放電灯点灯装置の寿命到来時における電解コンデンサの両端電圧を示す図
【図３】本発明の第１の実施の形態に係る放電灯点灯装置において、寿命検出回路の具体例を示す概略構成図
【図４】本発明の第２の実施の形態に係る放電灯点灯装置の概略構成を示す図
【図５】本発明の第３の実施の形態に係る放電灯点灯装置の概略構成を示す図
【図６】本発明の第４の実施の形態に係る放電灯点灯装置のプリント基板への実装状態を示す平面図
【図７】本発明の第４の実施の形態に係る放電灯点灯装置のプリント基板への実装状態において、変形例を示す平面図
【図８】本発明の第５の実施の形態に係る照明器具の概略構成を示す斜視図
【図９】従来の放電灯点灯装置の概略構成を示す図
【符号の説明】
【００８５】
１２  交流−直流変換回路
１３  点灯制御回路
１３１  周波数制御回路
１４  寿命検出回路
Ｃ１  電解コンデンサ
ＦＬ  放電灯
Ｌ１  共振用インダクタ
【図１】
2010097839.tif 000004
【図２】
2010097839.tif 000005
【図３】
2010097839.tif 000006
【図４】
2010097839.tif 000007
【図５】
2010097839.tif 000008
【図６】
2010097839.tif 000009
【図７】
2010097839.tif 000010
【図８】
2010097839.tif 000011
【図９】
2010097839.tif 000012